(57)【要約】【課題】測定情報を正確かつ迅速に得ることができ、また、得た測定情報を、統計処理情報として他の情報と共に瞬時に利用でき電子計測装置及び電子データ送信方法を提供する。【解決手段】測定対象物８０を電子的に寸法測定して得た取得情報を、通信手段１２を介して送信可能に構成されたハンディ型の電子メジャー１０と、測定対象物８０に設けられた識別子８１ａからの取得情報を、通信手段２２を介して送信可能に構成された識別子処理具２０と、電子メジャー１０及び識別子処理具２０にて得られた取得情報を受信すると共に測定対象物８０の他の情報を保存し、情報処理を行う制御装置３０と、を備えることを特徴とする電子計測装置。【選択図】図１
2015025708.tif 000002
【特許請求の範囲】
【請求項１】
測定対象物を電子的に寸法測定して得た取得情報を、通信手段を介して送信可能に構成されたハンディ型の電子メジャーと、
前記測定対象物に設けられた識別子からの取得情報を、通信手段を介して送信可能に構成された識別子処理具と、
前記電子メジャー及び前記識別子処理具にて得られた取得情報を受信すると共に前記測定対象物の他の情報とともに保存・情報処理を行うことができ且つ通信回線に接続可能な制御装置と、
を備えることを特徴とする電子計測装置。
【請求項２】
前記電子メジャーおよび前記識別子処理具に設けられた前記通信手段は、無線通信である
ことを特徴とする請求項１に記載の電子計測装置。
【請求項３】
前記電子メジャーは、メジャー本体から引き出し自在なテープ状の測定テープを備え、前記測定テープには、表裏の少なくとも一方に磁気記録を可能とするテープ磁気部が形成されている
ことを特徴とする請求項１または２に記載の電子計測装置。
【請求項４】
前記電子メジャーは、少なくとも採寸測定値を表示可能な表示部を備えている
ことを特徴とする請求項１〜３の何れか１項に記載の電子計測装置。
【請求項５】
識別子処理具にて測定対象物に設けられた識別子の識別を行い、得られた識別情報を、前記識別子処理具内の通信手段を介して制御装置へ送信することと、
ハンディ型の電子メジャーによって、前記測定対象物の採寸値情報を、電子メジャー内の通信手段を介して前記制御装置へ送信することと、
を含み、
前記電子メジャー及び前記識別子処理具にて得られた取得情報を、前記前記制御装置を介して予め用意されたアプリケーションへの取り込み及び通信回線上の特定サイトへの送信をする
ことを特徴とする電子データ送信方法。
【発明の詳細な説明】
【技術分野】
【０００１】
本発明は、電子計測装置及び電子データ送信方法に関し、特に、比較的小さい測定対象物に対して寸法を測定する際に適用する電子計測装置及び電子データ送信方法に関する。
【背景技術】
【０００２】
従来から、物品の大きさなど、比較的小型なものを計測する場合には、巻尺型のテープ型メジャーが使用されている。また、巻尺型のテープ型メジャーには、種々の形態のものが用いられている。このテープ型メジャーは、測定対象物にメジャーを当ててテープを延ばして、端点の目盛りを読むという作業を行う。そして、測定した数値を記録するのも人手よる。したがって、例えば、生産工場やその他各種の物品流通現場においては、測定の正確性、生産性、作業者への負担といった観点から問題があった。そこで、近年においては、例えば、特許文献１に記載されているような電子メジャーが用いられるようになってきている。この電子メジャーを用いることで、測定作業は容易なってきている。
【先行技術文献】
【特許文献】
【０００３】
【特許文献１】２０００−２４９５４６号公報
【発明の概要】
【発明が解決しようとする課題】
【０００４】
しかし、電子メジャーを用いて単品を測定する一般家庭においては、測定が電子化されただけでも十分であるが、製造工場や流通現場における高い生産効率・作業効率を要求される場合には、まだ不十分であった。特に、衣料品の製造、流通販売にあっては、厳格な品質・規格検査等が必要であることから、一種類の製品について、幾段階もの異なった各工程で、製品の様々な部分の寸法測定をし、更に、測定結果を書類やデータバンクに書き取ったりする作業や、測定情報を所定のフォーマットに変えたり、必要な計算をしたりと多種多様な後処理が必要である。このため、採寸から採寸情報並びに他の情報を総合的に迅速に処理できる方法が望まれている。このように、製造工場や流通現場においては、測定情報を迅速に得るだけでなく、得た情報を、統計処理情報として他の情報と共に瞬時に利用でき、製造や流通現場において正確且つ付加価値の高い利用情報として迅速な対応が可能な電子計測装置および電子データ送信方法が切望されていた。
【０００５】
本発明は、前述した事情に鑑みてなされたものであり、その目的は、測定情報を正確かつ迅速に得ることができ、また、得た測定情報を、統計処理情報として他の情報と共に瞬時に利用でき電子計測装置及び電子データ送信方法を提供することにある。
【課題を解決するための手段】
【０００６】
上記目的を達成するために、請求項１に係る発明は、測定対象物を電子的に寸法測定して得た取得情報を、通信手段を介して送信可能に構成されたハンディ型の電子メジャーと、前記測定対象物に設けられた識別子からの取得情報を、通信手段を介して送信可能に構成された識別子処理具と、前記電子メジャー及び前記識別子処理具にて得られた取得情報を受信すると共に前記測定対象物の他の情報とともに保存・情報処理を行うことができ且つ通信回線に接続可能な制御装置と、を備えることを特徴とする電子計測装置である。
【０００７】
請求項２に係る発明は、請求項１に記載の構成に加えて、前記電子メジャーおよび前記識別子処理具に設けられた前記通信手段は、無線通信であることを特徴とする。
【０００８】
請求項３に係る発明は、請求項１または２に記載の構成に加えて、前記電子メジャーは、メジャー本体から引き出し自在なテープ状の測定テープを備え、前記測定テープには、表裏の少なくとも一方に磁気記録を可能とするテープ磁気部が形成されていることを特徴とする。
【０００９】
請求項４に係る発明は、請求項１〜３の何れか１項に記載の構成に加えて、前記電子メジャーは、少なくとも採寸測定値を表示可能な表示部を備えていることを特徴とする。
【００１０】
上記目的を達成するために、請求項５に係る発明は、識別子処理具にて測定対象物に設けられた識別子の識別を行い、得られた識別情報を、前記識別子処理具内の通信手段を介して制御装置へ送信することと、ハンディ型の電子メジャーによって、前記測定対象物の採寸値情報を、電子メジャー内の通信手段を介して前記制御装置へ送信することと、を含み、前記電子メジャー及び前記識別子処理具にて得られた取得情報を、前記前記制御装置を介して予め用意されたアプリケーションへの取り込み及び通信回線上の特定サイトへの送信をすることを特徴とする電子データ送信方法である。
【発明の効果】
【００１１】
請求項１の発明によれば、測定対象物を電子的に寸法測定して得た取得情報を、通信手段を介して送信可能に構成されたハンディ型の電子メジャーを備えているので、制御装置に測定情報を迅速に送信できる。また、測定対象物に設けられた識別子から得た測定対象物の個別の取得情報を、通信手段を介して送信可能な識別子処理具を備えているので、測定対象物の個別の識別情報を制御装置に迅速に送信することができる。更に、測定対象物の測定値情報を受信すると共に測定対象物の他の情報を保存し、情報処理を行う制御装置とを備えていることにより、制御装置により、商品における個別の取得した各種最新情報を、他の情報と共に統計処理情報として瞬時に利用できる。したがって、電子計測装置１は、製造や流通現場において正確で且つ付加価値の高い利用情報として製品管理上において利便性を向上させることができる。
【００１２】
請求項２の発明によれば、電子メジャーに設けられた通信手段が、無線通信であるので、測定情報を受信する制御装置の設置場所に制約されることなく測定作業を自由に行うことができる。また、電子メジャーは、無線によって測定情報を提供できるので、採寸作業をやり易く使い勝手が良い。
【００１３】
請求項３の発明によれば、電子メジャーは、メジャー本体から引き出し自在なテープ状の測定テープを備えているので、採寸作業者が測定対象物に直接あてがって使用することで、正確な部位の採寸ができる。また、測定テープに、表裏の少なくとも一方に磁気記録を可能なテープ磁気部が形成されているので、採寸情報を実際に使用するテープ磁気部から得ることができ、直接的で正確な寸法情報を得ることができる。また、テープ磁気部は、電子情報の書き込みが容易であり、更に、採寸情報の取出しも極めて容易であるので、電子メジャーの構造を簡素化することができる。
【００１４】
請求項４の発明によれば、電子メジャーは、少なくとも測定値を表示可能な表示部を備えていることにより、測定した値を目視でも確認することができ、情報の的確性を高めることができる。
【００１５】
請求項５の発明によれば、識別子処理具にて測定対象物の識別を行い、得られた識別情報を、通信手段を介して通信回線に繋げられたインターネット上の特定サイトのアプリケーションへ送信することができ、識別子から得た測定対象物の個別の取得情報を、通信回線に繋げられた所定のアプリケーションへ迅速に送信することができる。また、ハンディ型の電子メジャーによって、測定対象物の寸法測定値情報を、通信手段を介してインターネット上の特定サイトのアプリケーションへ迅速に送信することができる。この結果、本発明の電子データ送信方法によれば、商品における個別の取得した各種最新情報を、他の情報と共に統計処理情報として瞬時に利用でき、製造や流通現場において正確で且つ付加価値の高い利用情報として迅速に提供することができる。
【図面の簡単な説明】
【００１６】
【図１】本実施形態の電子計測装置及び電子データ送信方法の概念を示す概略図である。
【図２】図１に示す実施形態における電子メジャーの斜視図である。
【図３】電子メジャーの要部拡大斜視図である。
【図４】本実施形態における電子計測装置の初期設定並びに検品作業を示すフローチャートである。
【図５】電子メジャーを用いた測定方法のフローチャートである。
【図６】本実施形態における情報表示形式の一例を示す採寸登録画面である。
【発明を実施するための形態】
【００１７】
以下、本発明の一実施形態について説明する。
本発明の一実施形態について、図１〜図６を参照しながら詳細に説明する。なお、本発明は、図１〜図６示す実施形態に何ら制限されるものではない。
図１は、本実施形態の電子計測装置及び電子データ送信方法の概念を示す概略図である。図２は、図１に示す実施形態における電子メジャーの斜視図であり、図３は、電子メジャーの要部拡大斜視図である。図４は、本実施形態における電子計測装置の初期設定並びに検品作業を示すフローチャートである。図５は、電子メジャーを用いた測定方法のフローチャートである。図６は、本実施形態における情報表示形式の一例を示す採寸登録画面である。
【００１８】
本実施形態の電子計測装置１は、図１に示す、電子メジャー１０と、識別子処理具２０と、制御装置３０とを有している。
電子メジャー１０は、片手にて把持出来る程度の大きさの手持ち型（ハンディ型）のもので、測定対象物８０である衣類を電子的に採寸可能に構成されている。また、電子メジャー１０は、制御装置３０との間で無線通信にて情報を交換できるように通信手段１２を備えている。なお、電子メジャー１０は、電源は、例えば、乾電池等により駆動できるようになっている。
【００１９】
また、識別子処理具２０は、片手にて把持出来る程度のハンディ型のものである。そして、測定対象物８０である衣類に付けられたタグ８１に記載された、例えばバーコードなどの識別子８１ａを読み取るバーコードリーダである。また、識別子処理具２０は、制御装置３０との間で無線通信にて情報を交換できるように通信手段２２をその内部に備えている。識別子処理具２０においても、その電源は、乾電池等による。
【００２０】
制御装置３０は、前述の電子メジャー１０にて取得された採寸情報、更には、識別子処理具２０にてダグから得られた取得情報を受信することができる通信手段３２を備えたパーソナルコンピュータである。したがって、制御装置３０は、例えば、ディスプレイ３０ａとキーボードのごとき操作部３０ｂを有している。なお、ディスプレイ３０ａは、タッチパネルタイプで、画面に表示された部分をタッチして操作することもできる。また、図示においては、操作部３０ｂがディスプレイ３０ａと別々に構成されているが、その他にタブレット型で、操作部３０ｂが分離していないタイプでも良い。
また、本実施形態における通信手段１２，２２，３２は、例えば、ブルートゥース（Ｂｌｕｅｔｏｏｔｈ(登録商標））を利用した無線通信手段である。
【００２１】
制御装置３０は、インターネットなどの通信回線１００に接続されている。したがって、制御装置３０が取得した情報は、この通信回線１００の介して他のグループ内端末１０１と共有するように接続されていてもよい。これによれば、作業拠点や販売拠点が複数ある場合に、別々に取得した情報を特定のアプリケーションにて共有し、膨大なデータを一元管理することができる。
また、この通信回線１００によれば、例えば、特定のサイトを利用して、一般ユーザー端末１０２とも接続されている。これにより、電子計測装置１にて得られた取得情報は、通信回線１００を介して効果的に利用することが可能である。
【００２２】
以下、本実施形態の電子メジャー１０について、図２および図３を参照して詳細に説明する。
本実施形態の電子メジャー１０は、図２に示すように、幅広の所と幅狭な把持部１１ａを有する扁平な直方体形状のメジャー本体１１を有している。このメジャー本体１１内に、テープ状の測定テープ１３が巻き込まれている巻尺形式のメジャーである。そして、このメジャー本体１１は、正面から見て、液晶の表示部１４、この表示部１４の下側に配置される、電源ボタン１５、ライトボタン１６、データボタン１７を有している。各種ボタンの下側（図２において下部側）が、把持部１１ａとして形成されている。
【００２３】
また、メジャー本体１１の一端面１１ｂ（図２における上方側の端面）には、測定テープ１３の引き出し用のテープ引出し孔１１ｈが設けられている。このテープ引出し孔１１ｈから測定テープ１３のテープ先端部１３ｅに取付けられたテープ摘み部１３ｂが一端面１１ｂ上に位置されている。
また、測定テープ１３は、メジャー本体１１内において、図示しないが、リールを介して巻かれて収納されている。すなわち、測定テープ１３を巻いたリールは、バネ等の適宜付勢部材によって常時巻き取り方向に付勢されている。したがって、テープ摘み部１３ｂを引っ張る（矢印Ａ方向に引っ張る）ことで、測定テープ１３が繰り出される一方、引っ張り力を解除することで、メジャー本体１１内に自動的に巻き込まれる（矢印Ｂ方向）ように構成されている。
【００２４】
また、メジャー本体１１内には、採寸時において、引き出された測定テープ１３の位置を検出するセンサ（図示せず）が設けられている。また、メジャー本体１１内には、採寸情報を記憶する記憶部、採寸情報を送信する通信手段１２が内蔵されている。
なお、把持部１１ａの一端の角部には、テープ引出し孔１１ｈと同じ側に落下防止用のストラップ１９が設けられている。このストラップ１９は、手首を通すことができる程度の環状のもので、把持部１１ａを把持する際に、ストラップ１９に手首が通して持つことで、落下を防止することができる。
【００２５】
本実施形態の測定テープ１３においては、その表裏の一方側に磁気記録を可能とするテープ磁気部１３ｍが形成されている。これは、例えば、テープ磁気部１３ｍに寸法情報を書き込み、一方、この書き込まれた寸法情報を読み取る磁気センサを、テープ磁気部１３ｍの走行経路に接近して配置する。これにより、引き出された測定テープ１３の位置を正確に検出することができ、採寸値を容易に決定することができる。
【００２６】
また、本実施形態の電子メジャー１０においては、前述したように、表示部１４が設けられている。この表示部１４は、測定テープ１３を引き出すことにより、テープ引き出し量に対応する数値を表示する。この表示によって採寸した寸法を目視でも見ることができる。なお、この表示部１４を見るときは、ライトボタン１６を押すことで表示部１４を光らせることができる。これは、表示部１４に表示された数値を確認しやすいだけでなく、表示部１４が常時明るい状態にあるよりは、必要時のみ光らせることで節電効果がある。
また、データボタン１７は、測定した採寸情報を制御装置３０に送信するときに操作するものである。
【００２７】
このように構成された電子計測装置１を用いた場合、以下のような電子データ送信方法を実施することができる。
先ず初めに、識別子処理具２０を用いて、測定対象物８０に設けられた識別子８１ａの識別を行う。次に、この識別子処理具２０にて得られた識別情報を、識別子処理具２０内の通信手段２２を介し、例えば、制御装置３０に立ち上げられている特定のアプリケーションへ送信することができる。更に、電子メジャー１０によって、同じ測定対象物８０を採寸する。この採寸値情報を、電子メジャー１０内の通信手段１２を介して、制御装置３０に立ち上げられている同じアプリケーションへ送信する。そして、制御装置３０は、インターネット等の通信回線１００上の特定サイトに、電子メジャー１０及び識別子処理具２０にて得られた取得情報を送信する。
【００２８】
以下、本実施形態の電子計測装置１を用いた商品の検品作業並びに採寸作業について、図４および図５の作業フローを参照して説明する。
先ず、図４を参照して、検品作業について説明する。
最初に、制御装置３０であるパーソナルコンピュータにおいて、所定のアプリケーションである、例えば“電子メジャーアプリケーション”を立ち上げる。そして、初期設定を行う。この初期設定には、“作業者名入力（Ｓ１）”、“案件名選択（Ｓ２）”、 “拠点名選択（Ｓ３）”、 “スタジオ選択（Ｓ４）”を順次入力する。これで初期設定が完了する。
【００２９】
次に、検品作業を行う。
初期設定に引き続いて、“検品モード選択（Ｓ５）”を行う。次に、“デバイス選択（Ｓ６）”をする。ここでは、本実施形態における識別子処理具２０であるバーコードスキャナを選択する。ここで、バーコードスキャナを選ぶことで、識別子処理具２０と制御装置３０とがブルートゥースにて接続される。
次に、識別子処理具２０を使って測定対象物８０（以下単に「商品」という）のタグ８１の識別子８１ａを読み込む“商品タグをスキャン（Ｓ７）”を実施する。このタグ８１の識別子８１ａ（バーコード）をスキャンすることで、ＪＡＮ（Ｊａｐａｎ  Ａｒｔｉｃｌｅ  Ｎｕｍｂｅｒ）コードが“電子メジャーアプリケーション”に取り込まれる。このスキャンデータによって検品が実施される。
次に、スキャンした取得情報をＰＶＳ（Ｃｉｔｒｉｘ  Ｐｒｏｖｉｓｉｎｉｎｇ  Ｓｅｒｖｅｒ）に送信する“スキャンデータ送信（Ｓ８）”を実施する。この情報送信が完了すると、最後に、このスキャンされた入荷済みの商品８０が、“入荷済商品一覧に表示（Ｓ９）”にて表示されたか否かを確認して検品作業を終了する。
【００３０】
次に、図５及び図６を参照して商品８０の採寸作業を行う。
採寸作業に入る前の採寸準備作業として、先ず、本アプリケーションの画面上において、“採寸モード選択（Ｓ１１）”をする。ここでは、前述のごとく電子メジャー１０および識別子処理具２０（バーコードリーダ）であるので、“電子メジャーのデバイス選択（Ｓ１２）”および “バーコードリーダのデバイス選択（Ｓ１３）”を行う。ここで、画面上において各デバイスの接続が確認できたら採寸作業の準備が完了する。
【００３１】
次に、採寸作業を行う。
採寸直前作業として、採寸作業テーブル５０上にある商品８０のタグ８１を識別子処理具２０により、 “商品タグのバーコードをスキャン（Ｓ１４）”を行う。このスキャンにてデータ入力が完了し、ＯＫ（オーケー）ボタンを押すと、スキャンされたＪＡＮコードでＰＶＳを検索し、アプリケーション画面に、“採寸登録画面呼出（Ｓ１５）”
を実行する。そして、制御装置３０のディスプレイ３０ａ上に、例えば図６に示すような採寸登録画面９０が呼び出される。
【００３２】
次に、採寸登録画面９０上において、例えば、画面を直接タッチして、“採寸カテゴリ選択（Ｓ１６）”を行う。ここで、例えば、「トップス」を、画面を直接タッチして選択する。これにより、“採寸必要箇所の表示（Ｓ１７）”が実行されて、採寸必要箇所が自動的に表示される。次に、タグ８１の表記に準じた“サイズの入力（Ｓ１８）”を行って、サイズ（例えば、Ｓ，Ｍ，Ｌ等）を確定する。
【００３３】
次に、画面上の直接タッチによって、“採寸箇所のセルクリック（Ｓ１９）”を行う。次に、電子メジャー１０を使用して、この採寸箇所を採寸する。この採寸操作は、片方の手で把持部１１ａを持つとともに、他方の手指にてテープ摘み部１３ｂを引き出す（矢印Ａ方向）。そして、測定テープ１３の、例えばテープ先端部１３ｅと、メジャー本体１１に設けられた採寸位置決め部１８とを、採寸作業テーブル５０上に置かれた商品８０の採寸箇所にあてがう様にし、“電子メジャーでの採寸（Ｓ２０）”を実施する。これにより、採寸情報が電子メジャー１０内の記憶部に記録される。
【００３４】
その後、電子メジャー１０のデータボタン１７を押して“採寸情報の送信（Ｓ２１）”を実施する。この“採寸情報の送信（Ｓ２１）”は、一つ一つの採寸作業ごと行うようにしても良いし、所定の採寸箇所を所定の順番で採寸した後に、複数データを纏めて一度に送信するようにしても良い。この寸法情報の送信によって、画面上の各セルに測定数値が自動入力される。そして、１つのサイズの採寸箇所の数値が全て埋まると、チェックが「送信」ステータスに変わる。
そして、全部の採寸が終わり、ここで、“サイズスペック確定（Ｓ２２）”を行う。
【００３５】
次に、商品８０の品質内容入力作業を行う。これは、例えばドライ等の“洗濯表記入力（Ｓ２３）”を行う。また、予め登録済みの原産国名の中から選択して“原産国入力（Ｓ２４）”を行う。
次に、“品質表示タグに切り替え（Ｓ２５）”を行う。そして、追加ボタン等によって表示された素材名をクリックして、“素材選択（Ｓ２６）”を行う。また、素材が複数の場合には、素材名及び素材割合をクリックして“素材及び割合の決定（Ｓ２７）”を行う。そして、素材割合の合計値が１００％になっているか否かを確認する。そして、確認ができたならば、“入力完了（Ｓ２８）”を、入力完了ボタンをクリックして行う。
【００３６】
なお、品番内で同じ素材の場合には、「空欄にコピー」ボタンを利用した“空欄コピー操作（Ｓ２９）”によって既に入力した内容をコピーして入力する。これで採寸タブ並びに組成タブのそれぞれの入力項目が全て完了し、「入力中」の表示を「送信」に変更する。次に、「一括送信」ボタンを押して“一括送信（Ｓ３０）”によって、ＰＶＳに全ての情報を送信する。そして、ＯＫ（オーケー）ボタンを押して、作業を完了する。この結果、作業完了した品番が、ＰＶＳの詳細ページに表示される。
【００３７】
以上説明したように、本実施形態においては、商品８０を電子的に寸法測定して得た取得情報を、無線の通信手段１２を介して送信可能に構成されたハンディ型の電子メジャー１０を備えていることで、制御装置３０に測定情報を迅速に送信できる。また、商品８０に設けられた識別子８１ａから得た商品８０の個別の取得情報を、無線の通信手段２２を介して送信可能な識別子処理具２０を備えていることにより、商品８０の個別の識別情報を制御装置３０に迅速に送信することができる。更に、商品８０の測定値情報を受信すると共に商品８０の他の情報を保存し、情報処理を行う制御装置３０とを備えていることにより、制御装置３０により、商品における個別の取得した各種最新情報を、他の情報と共に統計処理情報として瞬時に利用できる。したがって、電子計測装置１は、流通現場において正確で且つ付加価値の高い利用情報として製品管理上において利便性を向上させることができる。
【００３８】
また、本実施形態では、電子メジャー１０に設けられた通信手段１２が、無線通信であることで、測定情報を受信する制御装置３０の設置場所に制約されることなく測定作業を自由に行うことができる。また、電子メジャー１０は、無線によって測定情報を提供できるので、採寸作業をやり易く使い勝手が良い。
【００３９】
また、本実施形態では、電子メジャー１０は、メジャー本体１１から引き出し自在なテープ状の測定テープ１３を備えていることで、採寸作業者が商品８０に直接あてがって使用することで、正確な部位の採寸ができる。また、測定テープ１３には、磁気記録可能なテープ磁気部１３ｍが形成されていることで、採寸情報を実際に使用するテープ磁気部１３ｍから得ることができる。したがって、正確な寸法情報を得ることができる。また、テープ磁気部１３ｍは、電子情報の書き込みが容易であり、更に、採寸情報の取出しも極めて容易であるので、電子メジャー１０の構造を簡素化することができる。
【００４０】
また、本実施形態では、電子メジャー１０は、測定値を表示可能な表示部１４を備えていることにより、測定した値を目視でも確認することができ、情報の的確性を高めることができる。
【００４１】
また、本実施形態においては、識別子処理具２０にて商品８０の識別を行い、得られた識別情報を、通信手段２２を介して通信回線に繋げられたインターネット上の特定サイトのアプリケーションへ送信することができるので、識別子８１ａから得た商品８０の個別の取得情報を、通信手段２２を介して通信回線に繋げられた所定のアプリケーションへ迅速に送信することができる。また、ハンディ型の電子メジャー１０によって、商品８０の寸法測定値情報を、通信手段１２を介してインターネット上の特定サイトのアプリケーションへ迅速に送信することができる。この結果、本実施形態の電子データ送信方法によれば、商品８０における個別の取得した各種最新情報を、他の情報と共に統計処理情報として瞬時に利用でき、流通現場において正確で且つ付加価値の高い利用情報を迅速に提供できる。
【００４２】
以上、本発明の一実施形態について説明したが、本発明の要旨を逸脱しない範囲で適宜変更しても良い。例えば、電子メジャー１０については、上記実施形態においては、測定テープ１３にテープ磁気部１３ｍを形成して磁力を利用した測定構造としたが、例えば、コリメータなどの回転式測定構造でも良い。また、測定テープの部分に小さい開口を設けてこの開口に光サンサによる光を当てるようにし、当該開口を通過する光を検出する構造でもよい。更に、テープ状の巻尺タイプでなく、例えばレーザー光を利用した光学式の寸法測定するものでも良い。
また、上記実施形態においては、図６に示した採寸登録画面９０は一例であって、種々変更できるものであり、これに何ら制限されるものではない。
【符号の説明】
【００４３】
１      電子計測装置
１０    電子メジャー
１１    メジャー本体
１１ａ  把持部
１１ｈ  テープ引出し孔
１２，２２，３２    通信手段
１３    測定テープ
１３ａ  テープ表面部
１３ｂ  テープ摘み部
１３ｍ  テープ磁気部
１４    表示部
１５    電源ボタン
１６    ライトボタン
１７    データボタン
１８    採寸位置決め部
１９    ストラップ
２０    識別子処理具
３０    制御装置
５０    採寸作業テーブル
８０    測定対象物（商品）
８１    タグ
８１ａ  識別子
９０    採寸登録画面
１００  通信回線
１０１  グループ内端末
１０２  一般ユーザー端末
【図１】
2015025708.tif 000003
【図２】
2015025708.tif 000004
【図３】
2015025708.tif 000005
【図４】
2015025708.tif 000006
【図５】
2015025708.tif 000007
【図６】
2015025708.tif 000008